(57)【要約】【課題】周波数偏差の推定精度を向上する。【解決手段】第１のパイロット信号を基に推定した周波数偏差推定値を所定の閾値と比較し、前記周波数偏差推定値が前記閾値以上である場合に、前記第１のパイロット信号と第２のパイロット信号とが同一時間内に時間多重されるように、前記第１のパイロット信号、又は、前記第２のパイロット信号をスケジューリングする。【選択図】図７
2014183464.tif 000002
【特許請求の範囲】
【請求項１】
第１のパイロット信号を基に推定した周波数偏差推定値を所定の閾値と比較し、
前記周波数偏差推定値が前記閾値以上である場合に、前記第１のパイロット信号と第２のパイロット信号とが同一時間内に時間多重されるように、前記第１のパイロット信号、又は、前記第２のパイロット信号をスケジューリングする、パイロット信号スケジューリング方法。
【請求項２】
前記周波数偏差推定値が前記閾値未満である場合、前記スケジューリングを停止する、請求項１に記載のパイロット信号スケジューリング方法。
【請求項３】
前記第１のパイロット信号が、PUSCH（Physical Uplink Shared Channel）のＤＭ−ＲＳ（demodulation reference signal）であり、前記第２のパイロット信号がＳＲＳ（Sounding Reference Signal）である、請求項１又は２に記載のパイロット信号スケジューリング方法。
【請求項４】
第１のパイロット信号を基に、正方向回転及び負方向回転を仮定して２種類の周波数偏差推定値を計算し、
前記第１のパイロット信号と前記第２のパイロット信号とが同一時間内に時間多重されるタイミングにおいて前記第２のパイロット信号を基に位相回転方向を推定し、
推定した前記位相回転方向を基に、前記２種類の周波数偏差推定値のうち、より確からしい周波数偏差推定値を選択する、周波数偏差推定方法。
【請求項５】
前記第１のパイロット信号が、PUSCH（Physical Uplink Shared Channel）のＤＭ−ＲＳ（demodulation reference signal）であり、前記第２のパイロット信号がＳＲＳ（Sounding Reference Signal）である、請求項４に記載の周波数推定方法。
【請求項６】
第１のパイロット信号を基に推定した周波数偏差推定値を所定の閾値と比較する比較部と、
前記周波数偏差推定値が前記閾値以上である場合に、前記第１のパイロット信号と前記移動局から受信される第２のパイロット信号とが同一時間内に時間多重されるように、前記第１のパイロット信号又は前記第２のパイロット信号をスケジューリングするスケジューラ部と、
を備えた、無線装置。
【請求項７】
第１のパイロット信号を基に、正方向回転及び負方向回転を仮定して２種類の周波数偏差推定値を計算する周波数偏差推定部と、
前記第１のパイロット信号と前記第２のパイロット信号とが同一時間内に時間多重されるタイミングにおいて前記第２のパイロット信号を基に位相回転方向を推定する位相回転方向推定部と、
推定した前記位相回転方向を基に、前記２種類の周波数偏差推定値のうち、より確からしい周波数偏差推定値を選択する選択部と、
を備えた、無線装置。
【発明の詳細な説明】
【技術分野】
【０００１】
本発明の一態様は、パイロット信号スケジューリング方法、周波数偏差推定方法、及び、無線装置に関する。
【背景技術】
【０００２】
無線移動通信システムにおいて、移動局から送信した送信キャリア周波数と、基地局で受信した受信キャリア周波数との間に偏差が生じることがある。
【０００３】
例えば、移動局と基地局との間に周波数偏差が生じると、受信信号の位相が回転して見えることになる。
【０００４】
したがって、周波数偏差は、ＢＰＳＫ（Binary Phase Shift Keying）やＱＰＳＫ（Quadrature Phase Shift Keying）等の変調信号の位相判定を行なう際に、受信特性劣化の原因となる。
【０００５】
周波数偏差を推定して補正する技術の一例として、下記特許文献１及び２に記載された技術がある。
【先行技術文献】
【特許文献】
【０００６】
【特許文献１】国際公開ＷＯ２０１０／２１０１４号
【特許文献２】特開２００９−２８３９９２号公報
【発明の概要】
【発明が解決しようとする課題】
【０００７】
しかしながら、従来技術は、後述するＳＣｅｌｌにおける場合のように、他の物理チャネルに比べてパイロット信号の送信時間間隔が長いために、周波数偏差の推定範囲が他の物理チャネルに比べて狭小化する場合があることを考慮していない。周波数偏差の推定範囲が狭小化すると、推定精度が劣化し、受信特性が劣化する。
【０００８】
本発明の目的の１つは、周波数偏差の推定精度を向上できるようにすることにある。
【０００９】
なお、前記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００１０】
パイロット信号スケジューリング方法の一態様では、第１のパイロット信号を基に推定した周波数偏差推定値を所定の閾値と比較し、前記周波数偏差推定値が前記閾値以上である場合に、前記第１のパイロット信号と第２のパイロット信号とが同一時間内に時間多重されるように、前記第１のパイロット信号、又は、前記第２のパイロット信号をスケジューリングする。
【発明の効果】
【００１１】
本発明の一態様によれば、周波数偏差の推定精度を向上することができる。
【図面の簡単な説明】
【００１２】
【図１】一実施形態に係る無線移動通信システムの一例を模式的に示す図である。
【図２】キャリアアグリゲーション（ＣＡ）を説明する図である。
【図３】PUCCH、PUSCH及びＳＲＳのフレームフォーマット（時間領域）の一例を示す図である。
【図４】PUCCHにおける周波数偏差推定方法を模式的に示す図である。
【図５】PUSCHにおける周波数偏差推定方法を模式的に示す図である。
【図６】図１に例示する基地局（ｅＮＢ）の構成例を示すブロック図である。
【図７】図１及び図６に例示するｅＮＢの動作例を説明する図である。
【図８】図１及び図６に例示するｅＮＢにおける周波数偏差推定方法を模式的に説明する図である。
【図９】図１及び図６に例示するｅＮＢにおける周波数偏差推定方法を説明するフローチャートである。
【図１０】図９に例示する位相角の変換処理を説明するフローチャートである。
【図１１】（Ａ）及び（Ｂ）はいずれも複素平面（ＩＱ平面）を示す図であり、（Ａ）は図９の処理Ｃにおいてθ１の計算結果が負方向回転の場合を示す図であり、（Ｂ）は図９の処理Ｃにおいてθ１の計算結果が正方向回転の場合を示す図である。
【図１２】図９の処理Ｅにおける位相角の変換処理を模式的に示す図である。
【図１３】周波数偏差推定方法の変形例を示す図である。
【図１４】周波数偏差推定方法の変形例を示す図である。
【発明を実施するための形態】
【００１３】
以下、図面を参照して本発明の実施の形態を説明する。ただし、以下に説明する実施形態は、あくまでも例示であり、以下に明示しない種々の変形や技術の適用を排除する意図はない。なお、以下の実施形態で用いる図面において、同一符号を付した部分は、特に断らない限り、同一若しくは同様の部分を表す。
【００１４】
図１は、一実施形態に係る無線移動通信システムの一例を模式的に示す図である。図１に示す無線移動通信システムは、１又は複数の無線基地局の一例であるｅＮＢ（evolutional Node B）１０と、１又は複数の移動局の一例であるＵＥ（User Equipment）２０と、を備える。無線基地局及び移動局は、いずれも無線装置の一例である。
【００１５】
ｅＮＢ１０は、接続可能エリアであるセル１００を形成し、セル１００内に位置する１又は複数のＵＥ２０と無線インタフェースを介して相互通信を行なう。無線インタフェースには、アップリンク（ＵＬ）のチャネルとダウンリンク（ＤＬ）のチャネルとが含まれる。ＵＬチャネルは、ＵＥ２０からｅＮＢ１０宛の信号送信に用いられ、ＤＬチャネルは、ｅＮＢ１０からＵＥ２０宛の信号送信に用いられる。
【００１６】
ところで、無線移動通信システムでは、データトラフィックの増大によるネットワーク容量の逼迫が課題となっており、この課題に対する解決策の１つとして、高速大容量の通信を実現する「キャリアアグリゲーション（ＣＡ）」と呼ばれる技術がある。
【００１７】
ＣＡは、連続あるいは不連続の複数の周波数帯域（Component Carrier：CC）を束ね複数の周波数帯域を同時に使用することで（図２参照）、収容ユーザー数の増加、最大スループットの向上を図ることができる。なお、図２では、ＣＣ＃０（周波数帯域＃０）とＣＣ＃１（周波数帯域＃１）とが同時使用される様子を例示している。
【００１８】
ＣＣは、プライマリセル（ＰＣｅｌｌ）とセカンダリセル（ＳＣｅｌｌ）とに分類される。ＰＣｅｌｌ及びＳＣｅｌｌでは、それぞれＵＬチャネルにおいて送信可能な物理チャネルが定められている（参考文献１：TS36.300 V10.6.0 5.2.3. Physical uplink control channel及び7.5. Carrier Aggregation）。
【００１９】
すなわち、参考文献１によると、ＰＣｅｌｌでは、PRACH（Physical Random Access Channel）、PUSCH（Physical Uplink Shared Channel）、PUCCH（Physical Uplink Control Channel）及びSRS（Sounding Reference Signal）を送信可能である。一方、ＳＣｅｌｌでは、PUSCH及びSRSを送信可能である。ただし、ＳＣｅｌｌでは、PRACH及びPUCCHは送信できない仕様となっている。
【００２０】
図３に、PUCCH、PUSCH及びＳＲＳのフレームフォーマット（時間領域）の一例を示す（参考文献２：TS36.211 V10.4.0 5.5.2.1. Demodulation reference signal for PUSCH）。
【００２１】
PUCCH及びPUSCHは、いずれも１サブフレーム＝１ｍｓであり、１サブフレームには、２タイムスロット（＝２×０．５ｍｓ）が割り当てられ、更に、１タイムスロットには、０〜６の番号でそれぞれ表したＯＦＤＭ（Orthogonal Frequency Division Multiplexing）シンボルが含まれる。
【００２２】
そして、PUCCHでは、例示的に、１サブフレームにおいて１番と５番のＯＦＤＭシンボル（以下、単に「シンボル」と称することがある。）のそれぞれ（合計４つ）にdemodulation reference signal（ＤＭ−ＲＳ）が配置（時間多重）される。ＤＭ−ＲＳは、ｅＮＢ１０とＵＥ２０との間で既知の信号（パイロット信号）の一例である。
【００２３】
これに対し、PUSCHでは、例示的に、１サブフレームにおいて３番のＯＦＤＭシンボルのそれぞれ（合計２つ）にＤＭ−ＲＳが配置される。また、ＳＲＳは、例示的に、１サブフレームの最後のＯＦＤＭシンボルに配置される。
【００２４】
ここで、図３に例示するように、PUSCHのＤＭ−ＲＳの時間間隔（例えば０．５ｍｓ）は、PUCCHのＤＭ−ＲＳの時間間隔（０．２８５６７１４ｍｓ）よりも長い。そのため、図４及び図５に例示するようなＲＳ間の相互相関計算結果を用いた周波数偏差推定方法では、PUCCHを送信できないＳＣｅｌｌにおいては、周波数偏差推定可能範囲がＰＣｅｌｌよりも狭くなってしまう。周波数偏差推定可能範囲が狭小化すると、位相判定精度が劣化して受信特性劣化が生じやすくなる。
【００２５】
なお、図４がPUCCHにおける周波数偏差推定方法を表し、図５がPUSCHにおける周波数偏差推定方法を表している。図４及び図５のいずれの方法においても、２つの異なるタイミングに配置された一方のＲＳと他方のＲＳの複素共役との積を計算し、計算結果を１シンボルあたりの位相角（rad/symbol）に変換する。
【００２６】
図４（図９、図１３及び図１４においても同様）において「系列キャンセル」とは、受信したＲＳに重畳されたｅＮＢ１０に固有の情報（識別情報）を除去（キャンセル）する処理を意味する。例えば、ｅＮＢ２０に固有の系列と複素共役な系列を受信ＲＳに乗算することで、ｅＮＢ１０に固有の系列を受信ＲＳから除去（キャンセル）して特定のｅＮＢ１０宛のＲＳを抽出することができる。
【００２７】
さて、上述したような周波数偏差推定可能範囲の狭小化を回避して当該範囲を拡大するために、本実施形態では、概説すると以下の処理１−４を実施する。
【００２８】
（処理１）ｅＮＢ１０において、第１のパイロット信号の一例であるPUSCHのＤＭ−ＲＳを基に、図５に例示した周波数偏差推定値（以下「狭範囲推定値」と称することがある。）に加え、位相の正方向回転と負方向回転とを仮定した、２種類の周波数偏差推定値を計算する。なお、正方向回転とは、複素平面（ＩＱ平面）において反時計回りの回転を意味し、負方向回転とは、ＩＱ平面において時計回りの回転を意味する（例えば図１１参照）。
【００２９】
（処理２）ｅＮＢ１０は、計算した狭範囲推定値が所定の閾値以上である場合（例えばＵＥ２０が高速移動中であると推定される場合等）、第１のパイロット信号（PUSCHのＤＭ−ＲＳ）の受信タイミングと、第２のパイロット信号の一例であるＳＲＳの受信タイミングと、が同一サブフレーム内（以下「同時受信タイミング」と称することがある。）となるように、第１のパイロット信号（又は第２のパイロット信号）のＵＥ２０からの送信タイミングをスケジューリングする（以下「同時スケジューリング動作」と称することがある。）。
【００３０】
（処理３）ｅＮＢ１０は、同時受信タイミングにおいて、第１のパイロット信号と第２のパイロット信号との間の位相差を基に、処理１で求めた２種類の周波数偏差推定値のうち、より確からしい１つを選択し、周波数偏差推定値（以下「広範囲推定値」と称することがある。）を得る。
【００３１】
（処理４）ｅＮＢ１０は、広範囲推定値が所定の閾値以下となった場合（例えばＵＥ２０が低速移動中あるいは移動していないと推定される場合等）、処理２に示した同時スケジューリング動作を停止する。
【００３２】
図６に、本実施形態に係るｅＮＢ１０の構成例を示す。
ｅＮＢ１０は、例示的に、基地局アンテナ６１、無線処理回路６２、ベースバンド処理用回路６３、ベースバンド処理用プロセッサ６４、上位処理用プロセッサ６５、及び、ネットワーク（ＮＷ）側インタフェース（ＩＦ）６６を備える。
【００３３】
基地局アンテナ６１は、ＵＥ２０との無線信号の送受信を行なう。
【００３４】
無線処理回路６２は、ベースバンド周波数と無線周波数との間の相互変換を行なう。
【００３５】
ベースバンド処理回路６３は、レイヤ１の処理を行なう。ベースバンド処理回路６３は、例示的に、ＤＬ送信部６３１及びＵＬ受信部６３２を備える。
【００３６】
ＤＬ送信部６３１は、ＵＥ２０に対し、第１のパイロット信号の送信を指示する。ＵＬ受信部６３２は、第１のパイロット信号と第２のパイロット信号とを受信し、周波数偏差の推定処理を行なう。
【００３７】
ＵＬ受信部６３２は、例示的に、周波数偏差推定部６３２１、位相回転方向推定部６３２２、及び、選択部６３２３を備える。これらの各部６３２１−６３２３の詳細については後述する。
【００３８】
ベースバンド処理用プロセッサ６４は、スケジューラ部６４１等を備え、レイヤ１及びレイヤ２の制御管理を行なう。スケジューラ部６４１は、同時スケジューリング動作を実施する。
【００３９】
上位処理用プロセッサ６５は、基地局間インタフェース（ＩＦ）部６５１等を備え、レイヤ２処理、無線リソース管理、ｅＮＢ間信号送受信処理、ＮＷ側ＩＦ６６を介したネットワーク（ＮＷ）側装置との信号送受信等の上位処理を行なう。
【００４０】
次に、図７に本実施形態に係るスケジューリング処理の一例を示す。
ｅＮＢ１０のスケジューラ部６４１は、ＵＥ２０に対し、ＤＬ送信部６３１を通じて第１のパイロット信号（例えばPUSCHのＤＭ−ＲＳ）の送信を指示する（処理Ｐ１０及びＰ２０）。
【００４１】
第１のパイロット信号の送信指示をｅＮＢ１０から受信したＵＥ２０は、当該送信指示を受信してから所定時間経過後に第１のパイロット信号をｅＮＢ２０へ送信する（処理Ｐ３０）。なお、所定時間は、例示的に、ＲＴＴ（Round Trip Time）であり、ＬＴＥ（Long Term Evolution）の場合は４サブフレーム（４．０ｍｓ）である。別言すると、第１のパイロット信号は、ｅＮＢ２０からＵＥ２０へのＵＬ  Ｇｒａｎｔ信号の応答として、ＵＬ  Ｇｒａｎｔから４サブフレーム後にＵＥ２０から送信される。
【００４２】
第１のパイロット信号を受信したｅＮＢ１０のＵＬ受信部６３２は、第１のパイロット信号に基づき、図５に例示した方法により周波数偏差推定値（狭範囲推定値）を計算する（処理Ｐ４０）。
【００４３】
ｅＮＢ１０のＵＬ受信部６３２は、計算した狭範囲推定値の絶対値を所定の閾値（第１の閾値）と比較し（処理Ｐ５０）、狭範囲推定値が閾値以上の場合（処理Ｐ５０でｔｒｕｅの場合）、スケジューラ部６４１に対し、同時スケジューリング開始指示を送信する（処理Ｐ６０）。
【００４４】
なお、第１の閾値は、例えば図５において推定可能な最大周波数偏差推定値の８０％を閾値とする場合、π×８０［％］÷７＝０．３６[rad/symbol]となる。狭範囲推定値の絶対値が閾値未満の場合（処理Ｐ５０でｆａｌｓｅの場合）、ＵＬ受信部６３２は、処理を終了する。
【００４５】
同時スケジューリング開始指示を受信したスケジューラ部６４１は、第１及び／又は第２のパイロット信号の同時スケジューリング動作を開始する（処理Ｐ７０）。例えば、第２のパイロット信号（例えばＳＲＳ）が周期的にＵＥ２０から受信される場合（処理Ｐ８０及び処理Ｐ１２０）において、スケジューラ部６４１は、現タイミングが、第２のパイロット信号の受信タイミングからＲＴＴを減算したタイミングであるか否かをチェックする（処理Ｐ９０）。
【００４６】
チェックの結果、現タイミングが当該タイミングの場合（処理Ｐ９０でｔｒｕｅの場合）、スケジューラ部６４１は、第１のパイロット信号の送信指示をＤＬ送信部６３１に送信する（処理Ｐ１００）。
【００４７】
スケジューラ部６４１から第１のパイロット信号の送信指示を受信したＤＬ送信部６３１は、ＵＥ２０宛に第１のパイロット信号の送信指示を送信する（処理Ｐ１１０）。別言すると、スケジューラ部６４１は、第２のパイロット信号（例えばＳＲＳ）の受信タイミングと第１のパイロット信号の受信タイミングとが同一時間（サブフレーム）内に時間多重されるように第１のパイロット信号の送信指示をＤＬ送信部６３１によりＵＥ２０に送信する。
【００４８】
第１のパイロット信号の送信指示を受信したＵＥ２０は、当該送信指示を受信してからＲＴＴ経過後の第２のパイロット信号の送信タイミングにおいて第２のパイロット信号に加えて第１のパイロット信号を送信することにより、同一時間（サブフレーム）内に第１及び第２のパイロット信号を配置（時間多重）してｅＮＢ１０へ送信する（処理Ｐ１２０）。
【００４９】
ｅＮＢ１０は、同一サブフレーム内に配置された第１のパイロット信号と第２のパイロット信号とを受信すると、ＵＬ受信部６３２により、例えば図８（手段１）に示すように、受信した第１のパイロット信号を基に正方向回転と負方向回転とを仮定した２種類の周波数偏差推定値１Ａ及び１Ｂを計算する（処理Ｐ１３０）。
【００５０】
すなわち、ＵＬ受信部６３２は、第１のパイロット信号を基に、正方向回転及び負方向回転を仮定して２種類の周波数偏差推定値を計算する周波数偏差推定部６３２１（図６参照）としての機能を有する。
【００５１】
なお、図８において、Ａ（＋）、Ｂ（＋）、Ｃ（＋）、Ｄ（＋）及びＥ（＋）がＡ〜Ｅの５サブフレーム分の正方向回転を仮定した周波数偏差推定値１Ａを表し、Ａ（−）、Ｂ（−）、Ｃ（−）、Ｄ（−）及びＥ（−）がＡ〜Ｅの５サブフレーム分の負方向回転を仮定した周波数偏差推定値１Ｂを表している。
【００５２】
ＵＬ受信部６３２は、図８（手段２及び３）に示すように、受信した第１及び第２のパイロット信号の位相差から、正方向回転を仮定した周波数偏差１Ａと負方向回転を仮定した周波数偏差１Ｂとのうち、より確からしい、一方の推定結果を選択し、周波数偏差推定値（広範囲推定値）を得る（処理Ｐ１４０）。
【００５３】
すなわち、ＵＬ受信部６３２は、第１のパイロット信号と第２のパイロット信号とが同一時間内に時間多重されるタイミングにおいて第２のパイロット信号を基に位相回転方向を推定する位相回転方向推定部６３２２（図６参照）としての機能を有する。また、ＵＬ受信部６３２は、推定した位相回転方向を基に、２種類の周波数偏差推定値１Ａ及び１Ｂのうち、より確からしい周波数偏差推定値を選択する選択部６３２３（図６参照）として機能を有する。
【００５４】
図８においては、サブフレームＡ及びＥについての回転方向推定結果がプラス（＋）であり、サブフレームＢ〜Ｄについての回転方向推定結果がマイナス（−）である場合を例示している。この場合、サブフレームＡ〜Ｅについての広範囲推定値として、それぞれ、Ａ（＋）、Ｂ（−）、Ｃ（−）、Ｄ（−）及びＥ（＋）が選択される。
【００５５】
ＵＬ受信部６３２は、得られた広範囲推定値の絶対値を所定の閾値（第２の閾値）と比較し（処理Ｐ１５０）、広範囲推定値の絶対値が閾値以下の場合（処理Ｐ１５０でｔｒｕｅの場合）、スケジューラ部６４１に対し、同時スケジューリング動作停止指示を送信する（処理Ｐ１６０）。
【００５６】
第２の閾値は、図５において推定可能な最大周波数偏差推定値の７０％を閾値とする場合、π×７０［％］÷７＝０．３１[rad/symbol]となる。ここで、第１の閾値を推定可能な最大周波数偏差推定値の８０％とし、第２の閾値を推定可能な最大周波数偏差推定値の７０％として、両閾値を異ならせることで同時スケジューリング動作の開始と停止とが頻繁に発生する事を防ぐことができる。
【００５７】
同時スケジューリング動作停止指示を受信したスケジューラ部６４１は、同時スケジューリング動作を停止する（処理Ｐ１７０）。なお、広範囲推定値が閾値未満の場合（処理Ｐ１５０でｆａｌｓｅの場合）、ＵＬ受信部６３２は、処理を終了する（同時スケジューリング動作が継続される）。
【００５８】
次に、図９−図１２を参照して、上述したＵＬ受信部６３２における周波数偏差推定処理の詳細について説明する。
【００５９】
図９に例示するように、ＵＬ受信部６３２は、処理Ａにおいて、第１のパイロット信号間の複素共役の積を計算し（処理Ａ１１）、複素数である計算結果を位相回転量に変換することで（処理Ａ１２）、７シンボル分の位相回転量θ１［rad/7symbol］を計算する。
【００６０】
また、ＵＬ受信部６３２は、処理Ｂにおいて、第１のパイロット信号と第２のパイロット信号との複素共役の積を計算し（処理Ｂ１１）、複素数である計算結果を位相回転量に変換することで（処理Ｂ１２）、１０シンボル分の位相回転量θ３［rad/10symbol］を計算する。
【００６１】
さらに、ＵＬ受信部６３２は、処理Ｃにおいて、処理Ａで得られた位相回転量θ１が負方向回転であるか否か（θ１＜０か否か）を判定する（処理Ｃ１１）。判定の結果、θ１が負方向回転（ｔｒｕｅ）の場合、図１１（Ａ）に示すように、正方向回転を仮定した位相回転量θ２（＝２π＋θ１）を計算する（処理Ｃ１２）。一方、θ１が正方向回転（ｆａｌｓｅ）の場合、ＵＬ受信部６３２は、図１１（Ｂ）に示すように、負方向回転を仮定した位相回転量θ２（＝−２π＋θ１）を計算する（処理Ｃ１３）。
【００６２】
次いで、ＵＬ受信部６３２は、θ１及びθ２の両者の単位を以下に示す計算式により［rad/7symbol］から［rad/10symbol］に変換する（処理Ｄ１１及びＤ１３）。
φ１＝θ１×１０÷７
φ２＝θ２×１０÷７
【００６３】
そして、ＵＬ受信部６３２は、φ１及びφ２を±π［rad］の範囲に変換する（処理Ｄ１２及びＤ１４）。すなわち、図１０に例示するように、ＵＬ受信部６３２は、変数ｘ＝φ１又はφ２として、まず、ｘがπよりも大きいか否かを判定する（処理Ｄ２１０）。
【００６４】
判定の結果、ｘがπよりも大きければ（ｔｒｕｅであれば）、ＵＬ受信部６３２は、ｘ＝ｘ−２πとする（処理Ｄ２２０）。一方、ｘがπ以下であれば（ｆａｌｓｅであれば）、ＵＬ受信部６３２は、ｘが−πよりも小さいか否かを判定する（処理Ｄ２３０）。
【００６５】
判定の結果、ｘが−πよりも小さければ（ｔｒｕｅであれば）、ＵＬ受信部６３２は、ｘ＝ｘ＋２πとする（処理Ｄ２４０）。ｘが−π以上であれば（ｆａｌｓｅであれば）、ＵＬ受信部６３２は、変換処理を終了する。
【００６６】
その後、図９に示すように、ＵＬ受信部６３２は、φ１−θ３の絶対値〔ａｂｓ（φ１−θ３）〕よりもφ２−θ３の絶対値〔ａｂｓ（φ２−θ３）〕の方が大きいか否かを判定する（処理Ｄ１５）。すなわち、処理Ｂで計算したθ３の位相回転量と、φ１及びφ２のどちらがより近い値かを判定する。
【００６７】
判定の結果がｔｒｕｅであれば、ＵＬ受信部６３２は、φ１の方がよりθ３に近い値であるとして、φ１の計算の基となったθ１をθに代入（θ＝θ１）する（処理Ｄ１６）。一方、判定の結果がｆａｌｓｅであれば、ＵＬ受信部６３２は、φ２の方がよりθ３に近い値であるとして、φ２の計算の基となったθ２をθに代入（θ＝θ２）する（処理Ｄ１７）。
【００６８】
例えば図１２に例示するように、φ１が負方向回転でＩ＜０及びＱ＞０の領域にあり、φ２が正方向回転でＩ＞０及びＱ＜０の領域にあり、θ３がＩ＞０及びＱ＜０の領域にある場合を想定する。この場合、φ１に比べてφ２の方が、よりθ３に近い値（位相）のため、φ２を選択し、φ２の計算の基となったθ２を正しい計算結果としてθに代入する。
【００６９】
そして、ＵＬ受信部６３２は、図９に示すように、処理Ｅにおいて、θの単位を［rad/7symbol］から［rad/1symbol］に変換する（処理Ｅ１１）。
【００７０】
以上のように、上述した実施形態によれば、周波数偏差の推定範囲を拡大することができるので、例えばPUCCHを送信できないＳＣｅｌｌにおいても、広範囲な周波数偏差推定を実施できる。したがって、周波数偏差の推定精度を向上することができ、ｅＮＢ１０の受信特性を向上することができる。
【００７１】
なお、第１及び第２のパイロット信号が同一時間（サブフレーム）内に受信するタイミングにおける周波数偏差推定方法は、図１３に例示する方法を用いても良い。図１３に例示する方法では、第１のパイロット信号の複素共役と第２のパイロット信号との積を計算し、計算結果を１シンボルあたりの位相角（rad/symbol）に変換することで、周波数偏差を求めることができる。
【００７２】
また、図１４に例示するように、第２のパイロット信号が第１のパイロット信号の１サブフレーム前に配置されるようにスケジューリングしてもよい。この場合、第２のパイロット信号の複素共役と第１のパイロット信号との積を計算し、計算結果を１シンボルあたりの位相角に変換することで、周波数偏差を求めることができる。
【符号の説明】
【００７３】
１０  無線基地局（ｅＮＢ：evolutional Node B）
２０  移動局（ＵＥ：User Equipment）
６１  基地局アンテナ
６２  無線処理回路
６３  ベースバンド処理回路
６３１  ＤＬ送信部
６３２  ＵＬ受信部
６４  ベースバンド処理用プロセッサ
６４１  スケジューラ部
６５  上位処理用プロセッサ
６５１  基地局間インタフェース（ＩＦ）部
６６  ネットワーク（ＮＷ）側インタフェース（ＩＦ）
１００  セル
【図１】
2014183464.tif 000003
【図２】
2014183464.tif 000004
【図３】
2014183464.tif 000005
【図４】
2014183464.tif 000006
【図５】
2014183464.tif 000007
【図６】
2014183464.tif 000008
【図７】
2014183464.tif 000009
【図８】
2014183464.tif 000010
【図９】
2014183464.tif 000011
【図１０】
2014183464.tif 000012
【図１１】
2014183464.tif 000013
【図１２】
2014183464.tif 000014
【図１３】
2014183464.tif 000015
【図１４】
2014183464.tif 000016